(57)【要約】【課題】より効率良くＩＤカードを発行するＩＤカード発行システム及びＩＤカード発行方法を提供する。【解決手段】複写撮影装置１００に、申請者の顔を撮影して顔画像データを取得する撮影部４２と、撮影部４２により撮影された顔画像データを確定するための操作部４５と、申請書のイメージデータを取得するスキャナ４３と、ＣＰＵ４７に、確定された顔画像データを申請者のＩＤ番号と対応づけて顔画像データファイル４９Ａに記憶させる撮影プログラム４９Ｃと、スキャナ４３により取得されたイメージデータをＩＤ番号と対応づけてイメージデータファイル４９Ｂに記憶させる読取プログラム４９Ｄと、操作部４５により顔画像データが確定されると、確定された顔画像データをＩＤカード発行装置へ送信させる第１送信制御プログラム４９Ｅと、を備えた。【選択図】図２
2007307858.tif 000002
【特許請求の範囲】
【請求項１】
ＩＤカードの発行を申請する申請者の顔を撮影する撮影装置と、ＩＤカードを発行する発行装置と、申請書のイメージデータを記憶するファイルサーバと、を備えるＩＤカード発行システムにおいて、
前記撮影装置は、
前記申請者の顔を撮影して顔画像データを取得する撮影手段と、
前記撮影手段により撮影された顔画像データを確定するための確定手段と、
前記確定手段により確定された顔画像データを前記申請者の識別情報と対応づけて顔画像記憶手段に記憶させる顔画像記憶制御手段と、
前記申請書のイメージデータを取得する取得手段と、
前記取得手段により取得されたイメージデータを前記識別情報と対応づけてイメージデータ記憶手段に記憶させるイメージデータ記憶制御手段と、
前記確定手段により前記顔画像データが確定されると、当該顔画像データを前記発行装置へ送信する第１送信制御手段と、
を備えることを特徴とするＩＤカード発行システム。
【請求項２】
前記撮影装置は、
前記確定手段による確定後、所定時間が経過したか否かを判断する計時手段と、
前記計時手段により前記所定時間が経過したと判断された場合に、前記イメージデータ記憶手段を検索して、前記確定手段により確定された前記顔画像データと対応付けられた前記識別情報に対応する前記イメージデータがあるか否かを判断する判断手段と、
前記判断手段により、前記イメージデータがあると判断された場合に、当該イメージデータと前記顔画像データと前記識別情報とを対応付けて前記ファイルサーバへ送信する第２送信制御手段と、
を備えることを特徴とする請求項１に記載のＩＤカード発行システム。
【請求項３】
前記判断手段により、前記イメージデータが取得されていないと判断された場合に、所定の通知を行う通知手段と、
を備えることを特徴とする請求項２記載のＩＤカード発行システム。
【請求項４】
前記撮影装置を複数備え、
第１撮影装置において、前記判断手段により、前記イメージデータが取得されていないと判断された場合に、第２撮影装置の前記イメージデータ記憶手段から前記顔画像データと対応付けられた前記識別情報に対応する前記イメージデータを検索する検索手段を備え、
前記第２送信制御手段は、
前記検索手段により、前記第２撮影装置の前記イメージデータ記憶手段から前記顔画像データと対応付けられた前記識別情報に対応する前記イメージデータが取得された場合に、当該イメージデータと前記第１撮影装置の顔画像データ記憶手段に記憶された前記顔画像データと前記識別情報とを対応付けて前記ファイルサーバへ送信することを特徴とする請求項２又は３に記載のＩＤカード発行システム。
【請求項５】
請求項１に記載のＩＤカード発行システムを用いてＩＤカードの発行を行うＩＤカード発行方法であって、
前記撮影手段により前記申請者の顔を撮影して顔画像データを取得する撮影工程と、
前記確定手段により前記撮影工程において撮影された顔画像データを確定する確定工程と、
前記顔画像記憶制御手段により前記確定工程において確定された顔画像データを前記申請者の識別情報と対応づけて顔画像記憶手段に記憶させる顔画像記憶制御工程と、
前記取得手段により前記申請書のイメージデータを取得する取得工程と、
前記イメージデータ記憶制御手段により前記取得工程において取得されたイメージデータを前記識別情報と対応づけてイメージデータ記憶手段に記憶させるイメージデータ記憶制御工程と、
前記第１送信制御手段により、前記確定工程において確定された前記顔画像データを前記発行装置へ送信する第１送信制御工程と、
を備えることを特徴とするＩＤカード発行方法。
【発明の詳細な説明】
【技術分野】
【０００１】
本発明は、ＩＤカード発行システム及びＩＤカード発行方法にかかるものである。
【背景技術】
【０００２】
従来、社員証や各種免許証等のＩＤカードを発行するＩＤカード発行システムでは、例えば、まず、直接撮影装置において、ＯＣＲ装置等により申請書に記載されたＩＤ番号が読み取られ、次いで、申請者の顔が撮影されて顔画像データが取得され、次いで、当該申請書のイメージ画像がスキャナにより読み取られ、撮影により得られた顔画像データがＩＤカード発行装置に送信されるとともに、読み取られた申請書のイメージ画像データと撮影により取得された顔画像データとがファイルサーバに送信される。そして、ＩＤカード発行装置において、直接撮影装置により送信された顔画像データに基づく画像が印刷されたＩＤカードが発行され、ファイルサーバにおいて、直接撮影装置により送信された申請書のイメージ画像と顔画像データとが記憶保管される（例えば、特許文献１，２）。
【特許文献１】特開平１１−２２１９８５号公報
【特許文献２】特開平５−１６２４９０号公報
【発明の開示】
【発明が解決しようとする課題】
【０００３】
しかしながら、申請書の搬送時にエラーが発生した場合には、通常、オペレータにより当該直接撮影装置における作業を取り消す操作がなされるため、申請者の顔の撮影が成功しているのにも関わらず、再度、撮影からやり直さなければならず、ＩＤカードの発行に時間がかかってしまって効率が悪いという問題がある。
【０００４】
本発明の課題は、より効率良くＩＤカードを発行するＩＤカード発行システム及びＩＤカード発行方法を提供することである。
【課題を解決するための手段】
【０００５】
請求項１に記載の発明は、ＩＤカードの発行を申請する申請者の顔を撮影する撮影装置と、ＩＤカードを発行する発行装置と、申請書のイメージデータを記憶するファイルサーバと、を備えるＩＤカード発行システムにおいて、
前記撮影装置は、
前記申請者の顔を撮影して顔画像データを取得する撮影手段と、
前記撮影手段により撮影された顔画像データを確定するための確定手段と、
前記確定手段により確定された顔画像データを前記申請者の識別情報と対応づけて顔画像記憶手段に記憶させる顔画像記憶制御手段と、
前記申請書のイメージデータを取得する取得手段と、
前記取得手段により取得されたイメージデータを前記識別情報と対応づけてイメージデータ記憶手段に記憶させるイメージデータ記憶制御手段と、
前記確定手段により前記顔画像データが確定されると、当該顔画像データを前記発行装置へ送信する第１送信制御手段と、
を備えることを特徴としている。
【０００６】
請求項２に記載の発明は、請求項１に記載のＩＤカード発行システムにおいて、
前記撮影装置は、
前記確定手段による確定後、所定時間が経過したか否かを判断する計時手段と、
前記計時手段により前記所定時間が経過したと判断された場合に、前記イメージデータ記憶手段を検索して、前記確定手段により確定された前記顔画像データと対応付けられた前記識別情報に対応する前記イメージデータがあるか否かを判断する判断手段と、
前記判断手段により、前記イメージデータがあると判断された場合に、当該イメージデータと前記顔画像データと前記識別情報とを対応付けて前記ファイルサーバへ送信する第２送信制御手段と、
を備えることを特徴としている。
【０００７】
請求項３に記載の発明は、請求項２に記載のＩＤカード発行システムにおいて、
前記判断手段により、前記イメージデータが取得されていないと判断された場合に、所定の通知を行う通知手段と、
を備えることを特徴としている。
【０００８】
請求項４に記載の発明は、請求項２又は３に記載のＩＤカード発行システムにおいて、
前記撮影装置を、複数備え、
第１撮影装置において、前記判断手段により、前記イメージデータが取得されていないと判断された場合に、第２撮影装置の前記イメージデータ記憶手段から前記顔画像データと対応付けられた前記識別情報に対応する前記イメージデータを検索する検索手段を備え、
前記第２送信制御手段は、
前記検索手段により、前記第２撮影装置の前記イメージデータ記憶手段から前記顔画像データと対応付けられた前記識別情報に対応する前記イメージデータが取得された場合に、当該イメージデータと前記第１撮影装置の顔画像データ記憶手段に記憶された前記顔画像データと前記識別情報とを対応付けて前記ファイルサーバへ送信することを特徴としている。
【０００９】
請求項５に記載の発明は、請求項１に記載のＩＤカード発行システムを用いてＩＤカードの発行を行うＩＤカード発行方法であって、
前記撮影手段により前記申請者の顔を撮影して顔画像データを取得する撮影工程と、
前記確定手段により前記撮影工程において撮影された顔画像データを確定するための確定工程と、
前記顔画像記憶制御手段により前記確定工程において確定された顔画像データを前記申請者の識別情報と対応づけて顔画像記憶手段に記憶させる顔画像記憶制御工程と、
前記取得手段により前記申請書のイメージデータを取得する取得工程と、
前記イメージデータ記憶制御手段により前記取得工程において取得されたイメージデータを前記識別情報と対応づけてイメージデータ記憶手段に記憶させるイメージデータ記憶制御工程と、
前記第１送信制御手段により前記確定工程により確定された前記顔画像データを前記発行装置へ送信する第１送信制御工程と、
を備えることを特徴としている。
【発明の効果】
【００１０】
請求項１又は５に記載の発明によれば、例えば、申請書の搬送時にエラーが発生しても、確認手段により確認された顔画像データが当該エラーとは関係なく発行装置に送信されてＩＤカードが発行されることとなって、より効率良くＩＤカードを発行することができる。
【００１１】
請求項２に記載の発明によれば、請求項１に記載の発明と同様の効果が得られるのは勿論のこと、特に、ファイルサーバ側では、顔画像データとイメージデータとを対応付ける処理を行わずに済み、ファイルサーバにおける処理負荷を低減できる。
【００１２】
請求項３に記載の発明によれば、請求項２に記載の発明と同様の効果が得られるのは勿論のこと、特に、例えば、申請書の搬送時にエラーが発生して所定時間内にイメージデータが取得されていない場合に、通知により、オペレータがイメージデータが取得されていないことを把握できることとなって、再び申請書のイメージデータの取得をさせる等の対応を迅速に行うことができる。
【００１３】
請求項４に記載の発明によれば、請求項２又は３に記載の発明と同様の効果が得られるのは勿論のこと、特に、例えば、第１撮影装置において、撮影手段による顔画像データの取得を行い、第２撮影装置において、申請書のイメージデータの取得を行った場合でも、第２撮影装置のイメージデータ記憶手段から当該申請書のイメージデータが検索されて、当該イメージデータと顔画像データと識別情報とが対応付けられてファイルサーバへ送信されるので、第１撮影装置において、例えば、取得手段による申請書のイメージデータの取得ができない場合でも、当該申請書のイメージデータを第２撮影装置において取得することができ、直接撮影動作の効率をさらに向上させることができる。
【発明を実施するための最良の形態】
【００１４】
以下、図面を参照して本発明の最良の形態について詳細に説明する。ただし、発明の範囲は、図示例に限定されない。また、限定的な表現をする場合があるが、これに限られるものではない。
【００１５】
（第１の実施形態）
本発明の第１の実施形態に係るＩＤカード発行システム１００は、例えば、図１に示すように、ホストコンピュータ１，ファイルサーバ２,登録装置３,撮影装置４,発行装置としてのＩＤカード発行装置５等を備えている。
また、ホストコンピュータ１，ファイルサーバ２,登録装置３，撮影装置４，ＩＤカード発行装置５等は、例えば、ＬＡＮ（Local  Area  Network）やＷＡＮ（Wide  Area  Network）等の通信回線Ｎを介して通信可能に接続されている。
【００１６】
ホストコンピュータ１は、例えば、通信部（図示省略），入力部（図示省略），ＣＰＵ（Central  Processing  Unit）（図示省略），ＲＡＭ（Random  Access  Memory）（図示省略），記憶部（図示省略）等を備えて構成され、データベース（ＤＢ）１ａと接続されている。
【００１７】
データベース１ａは、例えば、識別情報としてのＩＤ番号と、申請者の個人情報とを対応づけて記憶している。
【００１８】
ファイルサーバ２は、例えば、通信部（図示省略），ＣＰＵ（図示省略），ＲＡＭ（図示省略），記憶部（図示省略）等を備えて構成され、撮影装置４から送信される申請書のイメージデータと顔画像データとＩＤ番号とを対応づけて記憶している。
【００１９】
登録装置３は、例えば、通信部（図示省略），表示部（図示省略），入力部（図示省略），プリンタ（図示省略），ＣＰＵ（図示省略），ＲＡＭ（図示省略），記憶部（図示省略）等を備えて構成されている。
そして、例えば、登録装置３において、オペレータにより入力部から申請者のＩＤ番号と当該申請者の個人情報とが入力され、当該ＩＤ番号と当該個人情報とが対応付けられてホストコンピュータ１に送信され、データベース１ａに記憶されるようになっている。
また、登録装置３において、申請者のＩＤ番号等が印字された申請書がプリンタにより出力されるようになっている。
【００２０】
撮影装置４は、例えば、図２に示すように、ＩＤ番号読取部４１，撮影手段としての撮影部４２，取得手段としてのスキャナ４３,通信部４４，操作部４５,表示部４６,ＣＰＵ４７，ＲＡＭ４８，記憶部４９等を備えている。
【００２１】
ＩＤ番号読取部４１は、例えば、バーコードリーダや、スキャナ、光学式文字読取装置（ＯＣＲ装置）、磁気読取装置等を備えて構成され、申請書を挿入するための挿入口（図示省略）等を備え、申請書に印字されているＩＤ番号を読み取る。
【００２２】
撮影部４２は、例えば、デジタルカメラ（図示省略）等を備えて構成され、ＩＤカードの発行を申請する申請者の顔を撮影して、申請者の顔画像データを取得する。
【００２３】
スキャナ４３は、例えば、申請書を走査して、当該申請書の記載内容を光学的に読み取って、申請書のイメージデータを取得する。
【００２４】
通信部４４は、例えば、撮影装置４とＩＤカード発行システム１００内の他の装置との間の通信を行う。より具体的には、通信部４４は、例えば、撮影部４２により取得された顔画像データと、スキャナ４３により取得された申請書のイメージデータと、ＩＤ番号とを対応づけてファイルサーバ２に送信する。
【００２５】
操作部４５は、各種の操作ボタン,カーソルキー等を備え、各種の操作信号をＣＰＵ４７に出力する。例えば、操作部４５は、確定キー（図示省略）を備え、当該確定キーがオペレータにより押下されることにより、撮影部４２により取得された顔画像データを確定するための操作信号をＣＰＵ４７に出力し、確定手段として機能する。
【００２６】
表示部４６は、例えば、ＬＣＤ（Liquid  Crystal  Display）等を備えて構成され、例えば、ＣＰＵ４７が後述する通知プログラム４９Ｈを実行することにより制御されて、所定の通知を表示する。
【００２７】
ＣＰＵ４７は、例えば、記憶部４９に格納された処理プログラム等を読み出して、ＲＡＭ４８に展開して実行することにより、撮影装置４全体の制御を行う。
【００２８】
ＲＡＭ４８は、例えば、ＣＰＵ４７により実行された処理プログラム等を、ＲＡＭ４８内のプログラム格納領域に展開するとともに、入力データや上記処理プログラムが実行される際に生じる処理結果等をデータ格納領域に格納する。
【００２９】
記憶部４９は、例えば、プログラムやデータ等が予め記憶されている記録媒体（図示せず）を有しており、この記録媒体は、例えば、半導体メモリ等で構成されている。また、記憶部４９は、ＣＰＵ４７が撮影装置４全体を制御する機能を実現させるための各種データ，各種処理プログラム，これらプログラムの実行により処理されたデータ等を記憶する。より具体的には、記憶部４９は、例えば、図２に示すように、顔画像データファイル４９Ａ,申請書イメージデータファイル４９Ｂ,撮影プログラム４９Ｃ,読取プログラム４９Ｄ,第１送信制御プログラム４９Ｅ,計時プログラム４９Ｆ,判断プログラム４９Ｇ,通知プログラム４９Ｈ,第２送信制御プログラム４９Ｉ等を格納している。
【００３０】
顔画像データファイル４９Ａは、例えば、ＩＤ番号と撮影部４２により取得された顔画像データとを対応づけて記憶している。記憶部４９は、かかる顔画像データファイル４９Ａを格納することにより、顔画像記憶手段として機能する。
【００３１】
申請書イメージデータファイル４９Ｂは、例えば、ＩＤ番号とスキャナ４３により取得された申請書のイメージデータとを対応づけて記憶している。記憶部４９は、かかる申請書イメージデータファイル４９Ｂを格納することにより、イメージデータ記憶手段として機能する。
【００３２】
撮影プログラム４９Ｃは、例えば、ＣＰＵ４７に、撮影部４２を制御して、申請者の顔を撮影させて申請者の顔画像データを取得させ、操作部４５から撮影部４２により取得された顔画像データを確定するための操作信号が入力されたか否かを判断することにより、撮影部４２による撮影が完了したか否かを判断し、操作部４５から撮影部４２により取得された顔画像データを確定するための操作信号が入力された場合に、当該申請者のＩＤ番号と当該顔画像データとを対応づけて顔画像データファイル４９Ａに記憶させる機能を実現させるプログラムである。ＣＰＵ４７は、かかる撮影プログラム４９Ｃを実行することにより、顔画像記憶制御手段として機能する。
【００３３】
読取プログラム４９Ｄは、例えば、ＣＰＵ４７に、スキャナ４３を制御して、申請書を走査させて申請書のイメージデータを取得させ、当該申請者のＩＤ番号と当該申請書のイメージデータとを対応づけて申請書イメージデータファイル４９Ｂに記憶させる機能を実現させるプログラムである。ＣＰＵ４７は、かかる読取プログラム４９Ｄを実行することにより、イメージデータ記憶制御手段として機能する。
【００３４】
第１送信制御プログラム４９Ｅは、例えば、ＣＰＵ４７に、撮影プログラム４９Ｃを実行することにより、撮影部４２に顔画像データを取得させ、操作部４５が操作されることにより顔画像データが確定された場合に、通信部４４を制御して、確定された当該顔画像データとＩＤ番号とを対応づけてＩＤカード発行装置５へ送信させる機能を実現させるプログラムである。ＣＰＵ４７は、かかる第１送信制御プログラム４９Ｅを実行することにより、第１送信制御手段として機能する。
【００３５】
計時プログラム４９Ｆは、例えば、ＣＰＵ４７に、撮影部４２により取得された顔画像データを確定するための操作信号が入力されてからの時間を計時し、所定時間が経過したか否かを判断する機能を実現させるプログラムである。ＣＰＵ４７は、かかる計時プログラム４９Ｆを実行することにより、計時手段として機能する。
【００３６】
判断プログラム４９Ｇは、例えば、ＣＰＵ４７に、計時プログラム４９Ｆを実行することにより撮影部４２による撮影が完了してから所定時間が経過したと判断した場合に、申請書イメージデータファイル４９Ｂを検索して、撮影部４２により取得され、オペレータにより確定された顔画像データと対応付けられたＩＤ番号に対応する申請書のイメージデータがあるか否かを判断することにより、申請書のイメージデータが取得されているか否かを判断する機能を実現させるプログラムである。ＣＰＵ４７は、かかる判断プログラム４９Ｇを実行することにより、判断手段として機能する。
【００３７】
通知プログラム４９Ｈは、例えば、ＣＰＵ４７に、判断プログラム４９Ｇを実行することにより、申請書のイメージデータが取得されていないと判断した場合に、表示部４６を制御して、例えば、「申請書のイメージデータが取得されませんでした」等の所定の通知を表示させる機能を実現させるプログラムである。ＣＰＵ４７は、かかる通知プログラム４９Ｈを実行することにより、通知手段として機能する。
【００３８】
第２送信制御プログラム４９Ｉは、例えば、ＣＰＵ４７に、判断プログラム４９Ｇを実行することにより、申請書のイメージデータが取得されていると判断した場合に、通信部４４を制御して、当該申請書のイメージデータと顔画像データとＩＤ番号とを対応づけてファイルサーバ２へ送信させる機能を実現させるプログラムである。ＣＰＵ４７は、かかる第２送信制御プログラム４９Ｉを実行することにより、第２送信制御手段として機能する。
【００３９】
ＩＤカード発行装置５は、例えば、通信部（図示省略），ＣＰＵ（図示省略），ＲＡＭ（図示省略），記憶部（図示省略），プリンタ（図示省略）等を備えて構成され、撮影装置４から送信される顔画像データを用いて、ＩＤカードを発行する。
【００４０】
次に、上述のような構成の第１の実施形態に係るＩＤカード発行システム１００におけるＩＤカード発行動作の一例を図３に示すフローチャートを参照しながら説明する。
【００４１】
まず、撮影装置４のＩＤ番号読取部４１により、申請書に印字されたＩＤ番号が読み取られる（ステップＳ１）。
【００４２】
次に、ＣＰＵ４７は、撮影プログラム４９Ｃを実行することにより、撮影部４２を制御して申請者の顔の撮影を開始させる（ステップＳ２：撮影工程）。
【００４３】
次に、ＣＰＵ４７は、読取プログラム４９Ｄを実行することにより、スキャナ４３を制御して、申請書を走査させ申請書のイメージデータの取得を開始させ、申請書のイメージデータが取得された場合には当該イメージデータをＩＤ番号と対応づけて申請書イメージデータファイル４９Ｂに記憶させる（ステップＳ３：取得工程,イメージデータ記憶制御工程）。
【００４４】
次に、ＣＰＵ４７は、撮影プログラム４９Ｃの実行に基づいて、撮影部４２により取得された顔画像データを確定するための操作信号が入力されたか否かを判断することにより、撮影部４２による撮影が完了したか否かを判断する（ステップＳ４：確定工程）。
【００４５】
ステップＳ４において、ＣＰＵ４７が、撮影が完了していないと判断した場合には（ステップＳ４；Ｎｏ）、ステップＳ４の処理を繰り返す。
ステップＳ４において、ＣＰＵ４７が、撮影が完了していると判断した場合には（ステップＳ４；Ｙｅｓ）、ＣＰＵ４７は、撮影プログラム４９Ｃの実行に基づいて、申請者のＩＤ番号と確定された顔画像データとを対応づけて顔画像データファイル４９Ａに記憶させるとともに、第１送信制御プログラム４９Ｅを実行することにより、通信部４４を制御して、確定された顔画像データとＩＤ番号とを対応づけてＩＤカード発行装置５に送信し（ステップＳ５：顔画像記憶制御工程,第１送信制御工程）、計時プログラム４９Ｆを実行することにより、計時を開始する。
【００４６】
次に、ＣＰＵ４７は、計時プログラム４９Ｆの実行に基づいて、撮影部４２による撮影が完了してから所定時間が経過したか否かを判断する（ステップＳ６）。
【００４７】
ステップＳ６において、ＣＰＵ４７が、所定時間が経過していないと判断した場合には（ステップＳ６；Ｎｏ）、ステップＳ６の処理を繰り返す。
ステップＳ６において、ＣＰＵ４７が、所定時間が経過したと判断した場合には（ステップＳ６；Ｙｅｓ）、ＣＰＵ４７は、判断プログラム４９Ｇを実行することにより、申請書イメージデータファイル４９Ｂを検索して、撮影部４２により取得されて確定された顔画像データと対応付けられたＩＤ番号に対応する申請書のイメージデータがあるか否かを判断することにより、申請書のイメージデータが取得されているか否かを判断する（ステップＳ７）。
【００４８】
ステップＳ７において、ＣＰＵ４７が、申請書のイメージデータが取得されていないと判断した場合には（ステップＳ７；Ｎｏ）、ＣＰＵ４７は、通知プログラム４９Ｈを実行することにより、表示部４６に所定の通知を表示させる（ステップＳ８）。
【００４９】
次に、オペレータにより当該申請書が再度撮影装置４に投入され、ＣＰＵ４７が読取プログラム４９Ｄを実行することにより、スキャナ４３が制御されて、当該申請書のイメージデータの取得が行われ（ステップＳ９）、ステップＳ７に戻る。
【００５０】
ステップＳ７において、ＣＰＵ４７が、申請書のイメージデータが取得されていると判断した場合には（ステップＳ７；Ｙｅｓ）、ＣＰＵ４７は、第２送信制御プログラム４９Ｉを実行することにより、通信部４４を制御して、当該申請書のイメージデータと当該顔画像データとＩＤ番号とを対応づけてファイルサーバ２へ送信させ（ステップＳ１０）、本処理を終了する。
【００５１】
以上に説明した、本発明の第１の実施形態に係るＩＤカード発行システム１００及びＩＤカード発行方法によれば、撮影装置４において、撮影部４２により、申請者の顔が撮影されて顔画像データが取得され、オペレータが操作部４５を操作することにより、撮影部４２によって撮影された顔画像データが確定され、ＣＰＵ４７が撮影プログラム４９Ｃを実行することにより、確定された顔画像データが申請者のＩＤ番号と対応づけられて顔画像データファイル４９Ａに記憶され、スキャナ４３により、申請書のイメージデータが取得され、ＣＰＵ４７が読取プログラム４９Ｄを実行することにより、スキャナ４３によって取得されたイメージデータがＩＤ番号と対応づけられて申請書イメージデータファイル４９Ｂに記憶され、ＣＰＵ４７が第１送信制御プログラム４９Ｅを実行することにより、確定された顔画像データがＩＤカード発行装置５へ送信されるので、例えば、申請書の搬送時にエラーが発生しても、オペレータが操作部４５を操作することにより確認された顔画像データが当該エラーとは関係なくＩＤカード発行装置５に送信されてＩＤカードが発行されることとなって、より効率良くＩＤカードを発行することができる。
【００５２】
また、ＣＰＵ４７が計時プログラム４９Ｆを実行することにより、顔画像データの確定後、所定時間が経過したか否かが判断され、ＣＰＵ４７が判断プログラム４９Ｇを実行することにより、計時プログラム４９Ｆを実行することによって所定時間が経過したと判断した場合に、申請書イメージデータファイル４９Ｂが検索され、オペレータが操作部４５を操作することによって確定された顔画像データと対応付けられたＩＤ番号に対応するイメージデータがあるか否かが判断され、ＣＰＵ４７が第２送信制御プログラム４９Ｉを実行することにより、判断プログラム４９Ｇを実行することによって、イメージデータがあると判断した場合に、当該イメージデータと顔画像データとＩＤ番号とが対応付けられてファイルサーバ２へ送信されるので、ファイルサーバ２側では、顔画像データとイメージデータとを対応付ける処理を行わずに済み、ファイルサーバ２における処理負荷を低減できる。
【００５３】
また、ＣＰＵ４７が通知プログラム４９Ｈを実行することにより、判断プログラム４９Ｇを実行することによって、イメージデータが取得されていないと判断された場合に、所定の通知が行われるので、例えば、申請書の搬送時にエラーが発生して所定時間内にイメージデータが取得されていない場合に、通知によりオペレータがイメージデータが取得されていないことを把握できることとなって、再び申請書のイメージデータの取得をさせる等の対応を迅速に行うことができる。
【００５４】
（第２の実施形態）
本発明の第２の実施形態に係るＩＤカード発行システム２００は、複数の撮影装置（第１撮影装置４Ａ、第２撮影装置４Ｂ）を備える構成、記憶部４９０の構成のみが第１の実施形態に係るＩＤカード発行システム１００と異なるので、同一の構成については、同一の符号を付すとともに、その説明を省略する。
【００５５】
本発明の第２の実施形態に係るＩＤカード発行システム２００は、例えば、図４に示すように、ホストコンピュータ１，ファイルサーバ２,登録装置３,第１撮影装置４Ａ,第２撮影装置４Ｂ,ＩＤカード発行装置５等を備えている。
また、ホストコンピュータ１，ファイルサーバ２,登録装置３，第１撮影装置４Ａ,第２撮影装置４Ｂ,ＩＤカード発行装置５等は、例えば、ＬＡＮ（Local  Area  Network）やＷＡＮ（Wide  Area  Network）等の通信回線Ｎを介して通信可能に接続されている。
なお、複数の撮影装置として、第１撮影装置４Ａ,第２撮影装置４Ｂを例示したが、撮影装置の数はこれに限られるものではない。
【００５６】
第１撮影装置４Ａと第２撮影装置４Ｂは、同一の構成をしているので、第１撮影装置４Ａの構成のみを説明する。
【００５７】
第１撮影装置４Ａは、例えば、図５に示すように、ＩＤ番号読取部４１，撮影部４２，スキャナ４３,通信部４４，操作部４５,表示部４６,ＣＰＵ４７，ＲＡＭ４８，記憶部４９０等を備えている。
【００５８】
記憶部４９０は、例えば、プログラムやデータ等が予め記憶されている記録媒体（図示せず）を有しており、この記録媒体は、例えば、半導体メモリ等で構成されている。また、記憶部４９０は、ＣＰＵ４７が撮影装置４全体を制御する機能を実現させるための各種データ，各種処理プログラム，これらプログラムの実行により処理されたデータ等を記憶する。より具体的には、記憶部４９０は、例えば、図５に示すように、顔画像データファイル４９Ａ,申請書イメージデータファイル４９Ｂ,撮影プログラム４９Ｃ,読取プログラム４９Ｄ,第１送信制御プログラム４９Ｅ,計時プログラム４９Ｆ,判断プログラム４９Ｇ,検索プログラム４９０Ａ，通知プログラム４９０Ｂ,第２送信制御プログラム４９０Ｃ等を格納している。
【００５９】
検索プログラム４９０Ａは、例えば、ＣＰＵ４７に、通信部４４を介して、第２撮影装置４Ｂの申請書イメージデータファイル４９Ｂを参照し、撮影部４２により取得された顔画像データに対応づけられたＩＤ番号に対応する申請書のイメージデータを検索する機能を実現させるプログラムである。ＣＰＵ４７は、かかる検索プログラム４９０Ａを実行することにより検索手段として機能する。
【００６０】
通知プログラム４９０Ｂは、例えば、ＣＰＵ４７に、検索プログラム４９０Ａを実行することにより、第２撮影装置４Ｂの申請書イメージデータファイル４９Ｂした結果、撮影部４２により取得された顔画像データに対応づけられたＩＤ番号に対応する申請書のイメージデータがなかった場合に、表示部４６を制御して、例えば、「申請書のイメージデータが取得されませんでした」等の所定の通知を表示させる機能を実現させるプログラムである。ＣＰＵ４７は、かかる通知プログラム４９０Ｂを実行することにより、通知手段として機能する。
【００６１】
第２送信制御プログラム４９０Ｃは、例えば、ＣＰＵ４７に、判断プログラム４９Ｇを実行することにより、申請書のイメージデータが取得されていると判断した場合、又は、検索プログラム４９０Ａを実行することにより、第２撮影装置４Ｂの申請書イメージデータファイル４９Ｂを検索した結果、撮影部４２により取得された顔画像データに対応づけられたＩＤ番号に対応する申請書のイメージデータがあった場合に、通信部４４を制御して、当該申請書のイメージデータと顔画像データとＩＤ番号とを対応づけてファイルサーバ２へ送信させる機能を実現させるプログラムである。ＣＰＵ４７は、かかる第２送信制御プログラム４９０Ｃを実行することにより、第２送信制御手段として機能する。
【００６２】
次に、上述のような構成の第２の実施形態に係るＩＤカード発行システム２００におけるＩＤカード発行動作の一例を図６に示すフローチャートを参照しながら説明する。
【００６３】
ステップＳ１０１〜ステップＳ１０７までの処理は、図３に示すフローチャートにおけるステップＳ１〜ステップＳ７までの処理と同じであるので、その説明を省略する。
【００６４】
ステップＳ１０７において、ＣＰＵ４７が、申請書のイメージデータが取得されていると判断した場合には（ステップＳ１０７；Ｙｅｓ）、ＣＰＵ４７は、第２送信制御プログラム４９０Ｃを実行することにより、通信部４４を制御して、当該申請書のイメージデータと当該顔画像データとＩＤ番号とを対応づけてファイルサーバ２へ送信させ（ステップＳ１０８）、本処理を終了する。
【００６５】
ステップＳ１０７において、ＣＰＵ４７が、申請書のイメージデータが取得されていないと判断した場合には（ステップＳ１０７；Ｎｏ）、ＣＰＵ４７は、検索プログラム４９０Ａを実行することにより、第２撮影装置４Ｂの申請書イメージデータファイル４９Ｂを参照し、撮影部４２により取得された顔画像データに対応づけられたＩＤ番号に対応する申請書のイメージデータがあるか否かを判断する（ステップＳ１０９）。
【００６６】
ステップＳ１０９において、ＣＰＵ４７が、申請書のイメージデータがないと判断した場合には（ステップＳ１０９；Ｎｏ）、ＣＰＵ４７は、通知プログラム４９０Ｂを実行することにより、表示部４６に所定の通知を表示させる（ステップＳ１１０）。
【００６７】
次に、オペレータにより当該申請書が再度第１撮影装置４Ａに投入され、ＣＰＵ４７が読取プログラム４９Ｄを実行することにより、スキャナ４３が制御されて、当該申請書のイメージデータの取得が行われ（ステップＳ１１１）、ステップＳ１０７に戻る。
【００６８】
ステップＳ１０９において、ＣＰＵ４７が、申請書のイメージデータがあると判断した場合には（ステップＳ１０９；Ｙｅｓ）、ＣＰＵ４７は、第２送信制御プログラム４９０Ｃを実行することにより、通信部４４を制御して、ステップＳ１１５で検索した申請書のイメージデータと顔画像データとＩＤ番号とを対応づけてファイルサーバ２へ送信させ（ステップＳ１１２）、本処理を終了する。
【００６９】
以上に説明した、本発明の第２の実施形態に係るＩＤカード発行システム２００及びＩＤカード発行方法によれば、第１の実施形態に係るＩＤカード発行システム１００と同様の効果が得られるのは勿論のこと、特に、ＣＰＵ４７が検索プログラム４９０Ａを実行することにより、第１撮影装置４Ａにおいて、判断プログラム４９Ｇを実行することによって、イメージデータが取得されていないと判断された場合に、第２撮影装置４Ｂの申請書イメージデータファイル４９Ｂから、確定された顔画像データと対応付けられたＩＤ番号に対応するイメージデータが検索され、ＣＰＵ４７は第２送信制御プログラム４９０Ｃを実行することにより、検索プログラム４９０Ａを実行することにより、第２撮影装置４Ｂの申請書イメージデータファイル４９Ｂから顔画像データと対応付けられたＩＤ番号に対応するイメージデータが取得された場合に、当該イメージデータと第１撮影装置４Ａの顔画像データファイル４９Ａに記憶された顔画像データとＩＤ番号とを対応付けてファイルサーバ２へ送信するので、例えば、第１撮影装置４Ａにおいて、撮影部４２による顔画像データの取得を行い、第２撮影装置４Ｂにおいて、申請書のイメージデータの取得を行った場合でも、第２撮影装置４Ｂの申請書イメージデータファイル４９Ｂから当該申請書のイメージデータが検索されて、当該イメージデータと顔画像データとＩＤ番号とが対応付けられてファイルサーバ２へ送信されるので、例えば、第１撮影装置４Ａにおいて、スキャナ４３による申請書のイメージデータの取得ができない場合でも、当該申請書のイメージデータを第２撮影装置４Ｂにおいて取得することができ、直接撮影動作の効率をさらに向上させることができる。
【００７０】
なお、顔画像データファイル４９Ａと申請書イメージデータファイル４９Ｂは一つのデータファイルとして備えられてもよい。
【図面の簡単な説明】
【００７１】
【図１】本発明の第１の実施形態に係るＩＤカード発行システムの概略構成図である。
【図２】本発明の第１の実施形態に係る撮影装置の内部構成を示すブロック図である。
【図３】本発明の第１の実施形態に係るＩＤカード発行システムにおけるＩＤカード発行動作を説明するためのフローチャートである。
【図４】本発明の第２の実施形態に係るＩＤカード発行システムの概略構成図である。
【図５】本発明の第２の実施形態に係る撮影装置の内部構成を示すブロック図である。
【図６】本発明の第２の実施形態に係るＩＤカード発行システムにおけるＩＤカード発行動作を説明するためのフローチャートである。
【符号の説明】
【００７２】
２  ファイルサーバ
４  撮影装置
４Ａ  第１撮影装置
４Ｂ  第２撮影装置
４２  撮影部（撮影手段）
４３  スキャナ（取得手段）
４５  操作部（確定手段）
４７  ＣＰＵ（顔画像記憶制御手段,イメージデータ記憶制御手段,第１送信制御手段,計時手段,判断手段,通知手段,第２送信制御手段,検索手段）
４９,４９０  記憶部（顔画像記憶手段,イメージデータ記憶手段）
４９Ａ  顔画像データファイル（顔画像記憶手段）
４９Ｂ  申請書イメージデータファイル（イメージデータ記憶手段）
４９Ｃ  撮影プログラム（顔画像記憶制御手段）
４９Ｄ  読取プログラム（イメージデータ記憶制御手段）
４９Ｅ  第１送信制御プログラム（第１送信制御手段）
４９Ｆ  計時プログラム（計時手段）
４９Ｇ  判断プログラム（判断手段）
４９Ｈ,４９０Ｂ  通知プログラム（通知手段）
４９Ｉ,４９０Ｃ  第２送信制御プログラム（第２送信制御手段）
４９０Ａ  検索プログラム（検索手段）
５  ＩＤカード発行装置（発行装置）
１００,２００  ＩＤカード発行システム
【図１】
2007307858.tif 000003
【図２】
2007307858.tif 000004
【図３】
2007307858.tif 000005
【図４】
2007307858.tif 000006
【図５】
2007307858.tif 000007
【図６】
2007307858.tif 000008